(57)【特許請求の範囲】
【請求項１】
開封用切込みラインが形成された医薬品包装用箱であって、
筒状となるように形成される箱胴体部と、
該箱胴体部の一端部から連続して延出し、前記箱胴体部との境界線が折り曲げられることで前記箱胴体部の開口端部を封鎖するように形成される蓋部と、を備え、
前記箱胴体部と前記蓋部との間の折り曲げ線又は折り曲げ線周辺には、前記医薬品包装用箱の開封口を形成するための切込みラインが形成され、
該切込みラインは、
前記折り曲げ線の延出方向の中央部から互いに反対の向きに向かって所定の間隔を空けた位置に設けられる一対の起点部から、それぞれ前記折り曲げ線から離れる方向に向けて破線状に延出し、それぞれの先端部が互いに離れた状態で設けられる一対の第１切込みラインと、
該一対の第１切込みラインのそれぞれの先端部を連結するように破線状に延出し、かつ、該延出方向の中央部分に向かうに従って前記折り曲げ線へ近づく方向に延びている第２切込みラインと、
該第２切込みラインの前記中央部分から、前記折り曲げ線側とは反対側に向かって延出する第３切込みラインと、を備え、
前記一対の第１切込みラインの延出長さは、それぞれ前記第２切込みラインの延出長さよりも短くなっていることを特徴とする医薬品包装用箱。
【請求項２】
前記切込みラインは、前記折り曲げ線の延出方向において前記一対の起点部から、互いに反対の向きに向かって破線状に延出している一対の第４切込みラインを備えていることを特徴とする請求項１に記載の医薬品包装用箱。
【請求項３】
前記一対の第１切込みラインは、前記一対の起点部から、湾曲しながら、互いに近づく方向に向かって延びており、
前記第２切込みラインは、前記中央部分に向かうに従って前記折り曲げ線へ近づく方向に湾曲しながら延びており、
前記第３切込みラインは、前記第２切込みラインの前記中央部分から、前記第１切込みラインの先端部を越えて延びていることを特徴とする請求項１又は２に記載の医薬品包装用箱。
【請求項４】
前記一対の第１切込みラインは、前記折り曲げ線の延出方向において前記一対の起点部よりも前記中央部側に中心を有する円又は楕円における円弧形状として形成され、
前記第２切込みラインは、略Ｕ字形状として形成されることを特徴とする請求項３に記載の医薬品包装用箱。
【請求項５】
前記蓋部は、前記箱胴体部の一端部に設けられ、前記医薬品包装用箱を解体するために開封される解体用蓋部と、前記箱胴体部の他端部に設けられ、前記医薬品包装用箱から医薬品を取り出すために開封される取り出し用蓋部と、を有し、
前記切込みラインは、前記蓋部のうち、前記解体用蓋部に形成されていることを特徴とする請求項１乃至４のいずれか１項に記載の医薬品包装用箱。
【発明の詳細な説明】
【技術分野】
【０００１】
本発明は、医薬品包装用箱に係り、特に、開封用切込みラインが形成された医薬品包装用箱に関する。
【背景技術】
【０００２】
従来、医薬品製剤や医薬品アンプル等の被包装物を包装するための包装用箱において、筒状の箱胴体部と、箱胴体部の開口端部を封鎖する蓋部との折り曲げ線上において開封口を形成するための切込みラインが形成されているものが知られている。
その中で、当該切込みラインの形状を種々工夫することで、より容易に開封することが可能な包装用箱が提案されている（例えば、特許文献１，２参照）。
【０００３】
特許文献１に記載のシールエンドカートンでは、箱胴体部と蓋部との折り曲げ線上において切込みラインで区切られた開封用摘み部が形成されている。
具体的には、開封用摘み部は、折り曲げ線の延出方向の中央部から箱胴体部側に向かって延びている比較的幅広な矩形状の裾部と、裾部から連続して箱胴体部側に向かって延びている半円状の指押し部と、から構成されている。
上記構成により、開封用摘み部に指を押し当てたときに開封口を切込みラインに沿ってスムースに形成することができる。
【０００４】
また、特許文献２に記載の開封用切込みライン付き箱形容器についても、箱胴体部と蓋部との折り曲げ線上において開封口を形成するための切込みラインが形成されている。
そして当該開封口を容易に形成するための切込みラインの形状を複数提案している。
【先行技術文献】
【特許文献】
【０００５】
【特許文献１】特開２００５−２０６１６７号公報
【特許文献２】特開２００９−７８８６７号公報
【発明の概要】
【発明が解決しようとする課題】
【０００６】
ところで、包装用箱の中で、特に医薬品製剤や医薬品アンプル等の被包装物を包装するための包装用箱においては、容易に開封することが可能なだけでなく、開封時に被包装物を傷つける虞がないような工夫が求められている。
例えば、特許文献１，２のような開封用切込みライン付き包装用箱では、開封用切込みラインに沿って指を押し当てて包装用箱の一部を凹ませて開封口を形成するため、当該凹ませた部分が被包装物に触れてしまう虞や、押し当てた指が被包装物に触れてしまい、被包装物を破損する虞があった。
そのため、容易に開封することが可能なだけでなく、開封時に被包装物に触れてしまう虞がないような開封用切込みライン付きの包装用箱が求められていた。
【０００７】
また、医薬品を包装する包装用箱においては、一般に医薬品を取り出すための開封口を形成する切込みラインと、箱を解体、廃棄するための開封口を形成する切込みラインとが互いに反対側の蓋部分に形成されている。
このとき、医薬品を取り出すために開封される蓋側においては、医薬品を覆うような形で添付文書が挿入されている場合が多く、開封時に医薬品に触れる虞が軽減されるような配慮がなされている。一方で、箱を解体するために開封される蓋側においては、医薬品が添付文書に覆われていない状態で包装されている場合が多く、誤って当該蓋側から先に開封してしまうと医薬品に触れてしまう虞があった。
そのため、医薬品包装用箱のうち、特に箱を解体するために開封される蓋側において開封時に被包装物を破壊してしまう虞がないような工夫が求められていた。
【０００８】
本発明は、上記の課題に鑑みてなされたものであり、本発明の目的は、容易に開封することが可能なだけでなく、開封時に被包装物を破壊してしまうことを軽減した医薬品包装用箱を提供することにある。
また、本発明の他の目的は、特に箱を解体するために開封される蓋側において開封時に被包装物を破壊してしまうことを軽減した医薬品包装用箱を提供することにある。
【課題を解決するための手段】
【０００９】
前記課題は、本発明の医薬品包装用箱によれば、開封用切込みラインが形成された医薬品包装用箱であって、筒状となるように形成される箱胴体部と、該箱胴体部の一端部から連続して延出し、前記箱胴体部との境界線が折り曲げられることで前記箱胴体部の開口端部を封鎖するように形成される蓋部と、を備え、前記箱胴体部と前記蓋部との間の折り曲げ線又は折り曲げ線周辺には、前記医薬品包装用箱の開封口を形成するための切込みラインが形成され、該切込みラインは、前記折り曲げ線の延出方向の中央部から互いに反対の向きに向かって所定の間隔を空けた位置に設けられる一対の起点部から、それぞれ前記折り曲げ線から離れる方向に向けて破線状に延出し、それぞれの先端部が互いに離れた状態で設けられる一対の第１切込みラインと、該一対の第１切込みラインのそれぞれの先端部を連結するように破線状に延出し、かつ、該延出方向の中央部分に向かうに従って前記折り曲げ線へ近づく方向に延びている第２切込みラインと、該第２切込みラインの前記中央部分から、前記折り曲げ線側とは反対側に向かって延出する第３切込みラインと、を備え、前記一対の第１切込みラインの延出長さは、それぞれ前記第２切込みラインの延出長さよりも短くなっていること、により解決される。
【００１０】
上記構成により、本発明の医薬品包装用箱では、開封口を形成するために切込みラインに沿って指を押し当てたときに、押し込まれた包装用箱の一部分が被包装物に触れてしまうことや、押し当てた指が被包装物に触れてしまうことを軽減することができる。
詳しく説明すると、上記切込みラインに沿って指を押し当てることで、折り曲げ線と一対の第１切込みラインと第２切込みラインとで囲まれた部分が押し込まれて開封口が形成される。そのときに、第２切込みラインと第３切込みラインとで区切られた部分が、押し当てた指を折り曲げ線側にガイドするように、言い換えれば、収納された被包装物側とは反対側に逃がすように斜め下方向に傾いて小さく押し込まれる。
そうすることで、親指程度の大きさとなる開封口を形成するときに、例えば被包装物が包装用箱の収納内部いっぱいに収納されていたときや、被包装物が包装用箱の蓋側に寄った形で収納されていたとき、包装用箱をやや傾けた状態で開封してしまったときに、押し当てた指や、押し込まれた箱の一部が被包装物に触れてしまうことを軽減できる。
従って、上記切込みラインを形成することで、容易に開封することが可能なだけでなく、開封時に被包装物に触れてしまうことを軽減した医薬品包装用箱を実現できる。
【００１１】
このとき、前記切込みラインは、前記折り曲げ線の延出方向において前記一対の起点部から、互いに反対の向きに向かって破線状に延出している一対の第４切込みラインを備えていると良い。
上記構成により、切込みラインに沿って指を押し当てたときに、一層容易に、スムースに蓋部を開封することができる。
【００１２】
このとき、前記一対の第１切込みラインは、前記一対の起点部から、湾曲しながら、互いに近づく方向に向かって延びており、前記第２切込みラインは、前記中央部分に向かうに従って前記折り曲げ線へ近づく方向に湾曲しながら延びており、前記第３切込みラインは、前記第２切込みラインの前記中央部分から、前記第１切込みラインの先端部を越えて延びていると良い。
また、前記一対の第１切込みラインは、前記折り曲げ線の延出方向において前記一対の起点部よりも前記中央部側に中心を有する円又は楕円における円弧形状として形成され、前記第２切込みラインは、略Ｕ字形状として形成されると良い。
上記構成により、切込みラインがヒトの指（親指）の形に合わせて好適な形状となるため、指を押し当て易くなり開封口を形成し易くなる。
【００１３】
このとき、前記蓋部は、前記箱胴体部の一端部に設けられ、前記医薬品包装用箱を解体するために開封される解体用蓋部と、前記胴体部の他端部に設けられ、前記医薬品包装用箱から医薬品を取り出すために開封される取り出し用蓋部と、を有し、前記切込みラインは、前記蓋部のうち、前記解体用蓋部に形成されていると良い。
上記構成により、医薬品を包装する包装用箱に特に重要な効果として、箱を解体、廃棄するために開封される蓋側において開封時に被包装物に触れてしまうことを軽減することができる。
【発明の効果】
【００１４】
本発明によれば、容易に開封することが可能なだけでなく、開封時に被包装物に触れてしまい、被包装物を破損することを軽減した医薬品包装用箱を実現することができる。
特に箱を解体するために開封される蓋側において開封時に被包装物に触れてしまい、被包装物を破損することを軽減した医薬品包装用箱を実現できる。
【図面の簡単な説明】
【００１５】
【図１】本実施形態に係る包装用箱の組み立て前の外観斜視図である。
【図２】包装用箱の組み立て後の外観斜視図である。
【図３】開封用切込みラインの詳細を示す平面図である。
【図４Ａ】包装用箱を開封する方法を説明する図である。
【図４Ｂ】包装用箱を開封する方法を説明する図である。
【図５】第２実施形態に係る包装用箱の外観斜視図である。
【発明を実施するための形態】
【００１６】
以下、本発明の実施形態について、図１〜図５を参照しながら説明する。
本実施形態は、筒状の箱胴体部と、蓋部との間の折り曲げ線に開封口を形成するための切込みラインが形成され、切込みラインは、折り曲げ線の中央部分に間隔を空けて設けられた一対の起点部から、それぞれ折り曲げ線から離れる方向に向かって破線状に延出し、かつ、湾曲しながら互いに近づく方向に延びている一対の第１切込みラインと、一対の第１切込みラインのそれぞれの先端部を連結するように破線状に延出し、かつ、延出方向の中央部分に向かうに従って折り曲げ線へ近づく方向に湾曲しながら延びている第２切込みラインと、第２切込みラインの中央部分から、折り曲げ線側とは反対側に向かって実線状に延びている第３切込みラインと、を備えていることを特徴とする医薬品包装用箱の発明に関するものである。
【００１７】
本実施形態の包装用箱１は、医薬品製剤２を収納するための略直方体形状の箱からなり、一枚のブランクシートを打ち抜いて形成した箱形成シートを折り曲げ組み立てることによって形成されている。
包装用箱１は、図１、図２に示すように、筒状となるように形成される箱胴体部１０と、箱胴体部１０の長尺方向の両端部からそれぞれ連続して延出し、箱胴体部１０との境界線１４，１５（折り曲げ線）がそれぞれ折り曲げられることで箱胴体部１０の開口端部を封鎖するように形成される一対の蓋部２０と、から主に構成されている。
また、箱胴体部１０と蓋部２０との間の境界線１４，１５には、それぞれ包装用箱１の開封口を形成するための切込みライン３０，４０が形成されている。
包装用箱１では、開封用の切込みライン３０，４０に沿って指を押し当てて開封口を形成することで蓋部２０を容易に開封することができ、開封された蓋部２０側から医薬品製剤２を取り出すことや、箱を解体することができる。
【００１８】
医薬品製剤２は、錠剤やカプセル剤等の固形製剤からなり、例えば口腔内崩壊製剤等のような脆弱固形製剤である。
医薬品製剤２は、図１に示すように、プレススルーパッケージ（ＰＴＰ）包装体によって複数収納された上で、さらにＰＴＰ包装体がピロー包装品によって複数収納された状態で包装用箱１に包装されている。
医薬品製剤２を収納したピロー包装品は、緩衝効果を高めるために添付文書３によって覆われた状態で包装用箱１に収納されている。
なお、包装用箱１に収納される被包装物は、医薬品製剤２のような固形製剤に特に限定されることなく変更可能であって、例えば、アンプルやバイアル等の密封容器に収納された医薬品や、チューブ等の容器に内包された軟膏等の医薬品であっても良い。
【００１９】
箱胴体部１０は、図１、図２に示すように、略中空矩形状からなり、所定の間隔を空けて互いに対向して設けられる一対の側壁部１１と、一対の側壁部１１の上端部分を連結する上壁部１２と、一対の側壁部１１の下端部分を連結する底壁部１３と、から主に構成されている。
蓋部２０は、箱胴体部１０の長尺方向の一端部に設けられ、包装用箱１を解体するために開封される解体用蓋部２０ａと、箱胴体部１０の他端部に設けられ、包装用箱１から医薬品製剤２を取り出すために開封される取り出し用蓋部２０ｂと、を備えている。
解体用蓋部２０ａは、上壁部１２及び底壁部１３のそれぞれの一端部から連続して延出し、箱胴体部１０との境界線１４が折り曲げ可能となるように形成される外側フラップ２１及び内側フラップ２２と、一対の側壁部１１のそれぞれの一端部から連続して延出し、箱胴体部１０との境界線１４が折り曲げ可能に形成される一対のサイドフラップ２３と、から主に構成されている。
取り出し用蓋部２０ｂも同様にして、外側フラップ２１及び内側フラップ２２と、一対のサイドフラップ２３と、から主に構成されている。
【００２０】
上記構成において、包装用箱１を組み立てるときには、図１に示す組み立て前の状態のときに箱胴体部１０の内部に医薬品製剤２及び添付文書３を収納させておき、その後一対のサイドフラップ２３、内側フラップ２２、及び外側フラップ２１の順に折り曲げていき、外側フラップ２１と内側フラップ２２を接着させることで図２に示す形となって完成する。
なお、箱胴体部１０において上壁部１２の表面上には、解体用蓋部２０ａと取り出し用蓋部２０ｂとの違いを明確にするための不図示の印字がなされている。
【００２１】
切込みライン３０は、図２、図３に示すように、上壁部１２と解体用蓋部２０ａとの間の境界線１４に形成され、この境界部分に開封口を形成するための切込みラインである。
切込みライン３０は、境界線１４の延出方向の中央部から互いに反対の向きに向かって所定の間隔を空けた位置に設けられる一対の起点部３１から、それぞれ境界線１４から離れる方向に向けて破線状に延出し、それぞれの先端部３２ａが互いに離れた状態で設けられる一対の第１切込みライン３２と、一対の第１切込みライン３２の先端部３２ａを連結するように破線状に延出し、かつ、その延出方向の中央部分３３ａに向かうに従って境界線１４へ近づく方向に延びている第２切込みライン３３と、第２切込みライン３３の中央部分３３ａから、境界線１４側とは反対側に向かって実線状に延出する第３切込みライン３４と、を備えている。
また切込みライン３０は、境界線１４の延出方向において一対の起点部３１から、互いに反対の向きに向かって破線状に延出している一対の第４切込みライン３５を備えている。
【００２２】
一対の起点部３１は、ヒトの親指が間に入る程度の間隔を空けて境界線１４上に配置されている。
一対の第１切込みライン３２は、一対の起点部３１から、湾曲しながら、互いに近づく方向に向かってやや上壁部１２の表面上を延びている。
詳しく言うと、一対の第１切込みライン３２は、境界線１４の延出方向において一対の起点部３１の中央位置に中心Ｏを有する楕円における円弧形状として形成されている。
言い換えると、一対の第１切込みライン３２は、それぞれの延出方向の中央部が起点部３１と先端部３２ａとを結ぶ仮想線に対して中心Ｏとは反対側に位置するように構成されている。
【００２３】
第２切込みライン３３は、略Ｕ字形状からなり、その中央部分３３ａに向かうに従って境界線１４へ近づく方向に湾曲しながら延びている。
詳しく言うと、第２切込みライン３３は、その中央部分３３ａが一対の先端部３２ａを結ぶ仮想線に対して中心Ｏ側に位置するように構成されている。
第３切込みライン３４は、第２切込みライン３３の中央部分３３ａから、一対の先端部３２ａを越えて略直線状に延びている。
詳しく言うと、第３切込みライン３４は、中心Ｏと中央部分３３ａとを結ぶ仮想線の延長線上に配置されている。
【００２４】
なお、箱胴体部１０において上壁部１２と取り出し用蓋部２０ｂとの間の境界線１５においても、開封口を形成するための略コ字形状からなる切込みライン４０が形成されている。
【００２５】
次に、包装用箱１を解体用蓋部２０ａ側から開封して医薬品製剤２を取り出す方法について図４Ａ、図４Ｂに基づいて説明する。
まず図４Ａに示すように、包装用箱１において上壁部１２の切込みライン３０が形成された部分の位置に親指を置く。
このとき、一対の第１切込みライン３２は、図３に示すように、親指の外縁の形に合わせて形成され、また、親指を間に挟むことが可能な大きさで形成されている。第３切込みライン３４は、その先端部が親指を置いたときに親指の先端部分と合わさる位置まで延びて形成されている。
【００２６】
そして図４Ｂに示すように、上壁部１２の切込みライン３０に沿って親指を押し当てることで、一対の第１切込みライン３２と第２切込みライン３３と境界線とで囲まれた部分が下方に押し込まれて開封口が形成される。
同時に、第２切込みライン３３と第３切込みライン３４とで区切られた部分が、押し当てた親指を境界線１４側にガイドするように、言い換えれば、収納された医薬品製剤２側とは反対側に逃がすように斜め下方向に傾いて小さく押し込まれる。
【００２７】
そして、開封口が形成された後、解体用蓋部２０ａの外側フラップ２１を親指と人差し指で摘まんだ状態で箱胴体部１０から離れる方向に引っ張ることで、外側フラップ２１を一対の第４切込みライン３５に沿って切り離すことができ、解体用蓋部２０ａを開封することができる。
【００２８】
上記方法により、親指程度の大きさとなる開封口を形成するときに、例えば被包装物が包装用箱１の収納内部いっぱいに収納されていたとき、被包装物が包装用箱１の解体用蓋部２０ａ側に寄った形で収納されていたとき、又は包装用箱１をやや傾けた状態で開封してしまうときに、押し当てた親指や、押し込まれた箱の一部分が被包装物に触れてしまうことを軽減することができる。
特に、被包装物として医薬品製剤２（医薬品）を収納する包装用箱１においては、図４Ａに示すように、一般に添付文書３が取り出し用蓋部２０ｂ側から医薬品製剤２を部分的に保護するような形で収納されている。そのため、医薬品を包装する包装用箱１に特に重要な効果として、取り出し用蓋部２０ｂ側からではなく解体用蓋部２０ａ側から誤って又は諸事情によって開封してしまった場合であっても、医薬品に触れてしまうことを軽減することができる。なお、医薬品に触れる指の押し圧の程度の比較は、例えば感圧紙で覆われたピロー包装品を包装した包装用箱を開封し、感圧紙の着色した部分を比較することによって確認することができる。
【００２９】
また上記方法について、図４Ｂに示すように、医薬品製剤２を含むピロー包装品が第３切込みライン３４の先端部３４ａに対して解体用蓋部２０ａ側に張り出す位置までいっぱいに収納されている場合には、当該ピロー包装品に触れてしまうことを避けることができるため有意義なものとなる。
さらに、図４Ｂに示すように、添付文書３が第３切込みライン３４の先端部３４ａに対して解体用蓋部２０ａ側に張り出していない場合には、添付文書３によって医薬品製剤２が保護されないため、上記方法がより一層有意義なものとなる。
【００３０】
＜医薬品包装用箱の第２実施形態＞
次に、医薬品包装用箱の第２実施例について、図５に基づいて説明する。なお、上述した包装用箱１と重複する内容は説明を省略する。
第２実施形態の包装用箱１０１では、包装用箱１と比較してやや小型な箱からなり、箱胴体部１１０と解体用蓋部１２０ａの間の境界線１１４において、また、箱胴体部１１０と取り出し用蓋部１２０ｂの間の境界線１１５において同じ形状の切込みライン１３０が形成されている構成が異なっている。
【００３１】
切込みライン１３０は、境界線１１４の延出方向の両端部から、それぞれ境界線１１４から離れる方向に向けて破線状に延出し、上壁部１１２の表面上を湾曲しながら延びている一対の第１切込みライン１３２と、一対の第１切込みライン１３２の先端部１３２ａを連結するように破線状に延出し、その延出方向の中央部分１３３ａに向かうに従って境界線１１４へ近づく方向に延びている略Ｕ字形状の第２切込みライン１３３と、第２切込みライン１３３の中央部分１３３ａから、境界線１１４側とは反対側に向かって実線状に延びている第３切込みライン１３４と、を備えている。
【００３２】
上記構成においても、開封口を形成するために切込みライン１３０に沿って親指を押し当てたときに、押し当てた親指や、押し込まれた包装用箱１０１の一部分が被包装物に触れてしまうことを軽減することができる。
すなわち、図５に示すように比較的小型な包装用箱１０１であれば、包装用箱１における第４切込みライン３５を形成しなくても、上記効果を奏することができる。
【００３３】
また上記構成のように、本切込みライン１３０を解体用蓋部１２０ａ側だけでなく取り出し用蓋部１２０ｂ側についても形成することで、取り出し用蓋部１２０ｂ側から開封したときに被包装物に触れてしまうことを軽減することができる。
特に、取り出し用蓋部１２０ｂ側において医薬品製剤２が添付文書３によって保護されていない場合には格別な効果を有する。
【００３４】
＜その他の実施形態＞
上記実施形態において、図２に示すように、包装用箱１は直方体状の箱からなるが、特に限定されることなく変更可能であって、例えば円柱形状や三角柱形状等であっても良い。
また包装用箱１は、箱胴体部１０の両端部にそれぞれ蓋部２０が設けられているが、特に限定されることなく、箱胴体部１０の一端部にのみ蓋部２０が設けられていても良い。
【００３５】
上記実施形態において、図２に示すように、切込みライン３０は上壁部１２と蓋部２０の境界線１４上に形成され、上壁部１２の表面に沿って延びているが、特に限定されることなく変更可能であって、例えば境界線１４上から蓋部２０の表面に沿って延びていても良い。
また切込みライン３０は、箱胴体部１０において上壁部１２の一端部に形成されているが、特に限定されることなく、側壁部１１の一端部に形成されていても良いし、底壁部１３の一端部に形成されていても良い。
そうすれば、箱胴体部１０の表面に表示される印字の配置やデザインに対応して、また箱の開封の仕方に対応して適宜切込みライン３０の形成位置を調整することができる。
【００３６】
上記実施形態において、図３に示すように、第３切込みライン３４は実線状に延びて形成されているが、特に限定されることなく、第１切込みライン３２及び第２切込みライン３３と同様に破線状に延びて形成されていても良い。
【００３７】
本実施形態では、主として本発明に係る包装用箱に関して説明した。
ただし、上記の実施形態は、本発明の理解を容易にするための一例に過ぎず、本発明を限定するものではない。本発明は、その趣旨を逸脱することなく、変更、改良され得ると共に、本発明にはその等価物が含まれることは勿論である。
【符号の説明】
【００３８】
１，１０１  包装用箱（医薬品包装用箱）
２  医薬品製剤（医薬品）
３  添付文書
１０，１１０  箱胴体部
１１  側壁部
１２，１１２  上壁部
１３  底壁部
１４，１５，１１４，１１５  境界線（折り曲げ線）
２０  蓋部
２０ａ，１２０ａ  解体用蓋部
２０ｂ，１２０ｂ  取り出し用蓋部
２１  外側フラップ
２２  内側フラップ
２３  サイドフラップ
３０，４０，１３０  切込みライン
３１  起点部
３２，１３２  第１切込みライン
３２ａ，１３２ａ  先端部
３３，１３３  第２切込みライン
３３ａ，１３３ａ  中央部分
３４，１３４  第３切込みライン
３４ａ  先端部
３５  第４切込みライン
Ｏ  中心
【図１】
0006394684.tif 000002
【図２】
0006394684.tif 000003
【図３】
0006394684.tif 000004
【図４Ａ】
0006394684.tif 000005
【図４Ｂ】
0006394684.tif 000006
【図５】
0006394684.tif 000007